(57)【要約】【課題】ハンドル先端部に水平方向に左右両側に展開可能な表示ユニットを備える撮像装置において、外付けマイク等の外部機器のコネクタを装置の大型化を招くことなく最適な位置に配置する。【解決手段】カメラ１００は、カメラ本体１０１から上方に延びる前脚部１０４１および後脚部１０４２と、前脚部１０４１と後脚部１０４２の間を光軸に略平行に接続する把持部１０４３と、を有するハンドル１０４と、ハンドル１０４の前方にハンドル１０４と一体に形成される前方部１０４４と、前方部１０４４に対して第１回転軸部１３０を介して略水平方向に回動可能に支持される表示ユニット１１０と、を備える。前脚部１０４１の側面には、第１の外部機器が接続されるコネクタ１２１が設けられ、コネクタ１２１は、表示ユニット１１０よりも下側で、かつ下側に向かうにつれて所定の角度だけ内側に傾斜した傾斜面１２０１に配置されている。【選択図】図１６
2019165305.tif 000002
【特許請求の範囲】
【請求項１】
撮像光学系を含む装置本体と、
前記装置本体から上方に延びる前脚部および後脚部と、前記前脚部と前記後脚部の間を前記撮像光学系の光軸に略平行に接続する把持部と、を有するハンドルと、
前記ハンドルの前方に前記ハンドルと一体に形成される前方部と、
前記前方部に対して第１回転軸部を介して略水平方向に回動可能に支持される表示ユニットと、を備える撮像装置であって、
前記前脚部の側面には、第１の外部機器が接続されるコネクタが設けられ、前記コネクタは、前記表示ユニットよりも下側で、かつ下側に向かうにつれて所定の角度だけ内側に傾斜した前記側面に配置されていることを特徴とする撮像装置。
【請求項２】
前記第１の外部機器は、外付けマイクであることを特徴とする請求項１に記載の撮像装置。
【請求項３】
前記表示ユニットは、前記光軸に略平行な収納状態と表示面が視認できる少なくとも二つの使用状態との間で前記第１回転軸部を中心として回動可能に支持され、前記使用状態において前記第１回転軸部に略直交する第２回転軸部を中心として回動可能に支持されていることを特徴とする請求項１又は２に記載の撮像装置。
【請求項４】
前記表示ユニットの先端部は、前記収納状態において、前記コネクタより後側に配置されることを特徴とする請求項３に記載の撮像装置。
【請求項５】
前記前方部には、前記第１回転軸部と前記第２回転軸部を有するヒンジが固定され、
前記ヒンジおよび前記表示ユニットの上方を覆う上側ユニットを備えることを特徴とする請求項３又は４に記載の撮像装置。
【請求項６】
前記上側ユニットは、前記第１回転軸部と略同一軸の開口部を有し、前記ヒンジには、前記開口部に係合する凸部が前記第１回転軸部と略同一軸上に設けられており、前記凸部には、前記開口部より外形の大きいフランジ部材が連結されていることを特徴とする請求項５に記載の撮像装置。
【請求項７】
前記上側ユニットは、前記凸部に設けられるフレーム板金を有することを特徴とする請求項６に記載の撮像装置。
【請求項８】
前記表示ユニットと前記上側ユニットとの間には、所定のクリアランスが設けられていることを特徴とする請求項５乃至７のいずれか一項に記載の撮像装置。
【請求項９】
前記ヒンジと前記上側ユニットの間において、最も近接している箇所には、他の部材に比べて摺動抵抗の低い部材が設けられていることを特徴とする請求項５乃至８のいずれか一項に記載の撮像装置。
【請求項１０】
前記把持部の後側に回動可能に取り付けられた電子ビューファインダおよび前記把持部に設けられた第２の外部機器の取り付け部を有し、
樹脂の材料で形成された前記把持部に対して、金属の材料で形成された前記取り付け部が前記電子ビューファインダの回動軸を保持する部材と共に固定されることを特徴とする請求項１乃至９のいずれか一項に記載の撮像装置。
【請求項１１】
前記第２の外部機器は、画像表示装置であることを特徴とする請求項１０に記載の撮像装置。
【請求項１２】
前記取り付け部は、前記把持部を把持する際の妨げにならない位置に配置されることを特徴とする請求項１０又は１１に記載の撮像装置。
【請求項１３】
前記取り付け部は、前記把持部の外観面を形成する部材とともに固定されることを特徴とする請求項１０乃至１２のいずれか一項に記載の撮像装置。
【請求項１４】
前記把持部には、前記電子ビューファインダの収納状態で前記電子ビューファインダの凸部が収納される凹部が設けられていることを特徴とする請求項１０乃至１３のいずれか一項に記載の撮像装置。
【請求項１５】
前記電子ビューファインダの凸部の内部には、少なくとも前記電子ビューファインダを制御する基板が配置されていることを特徴とする請求項１４に記載の撮像装置。
【請求項１６】
前記電子ビューファインダの回動軸の軸方向に負荷が加わった場合に、前記電子ビューファインダの凸部と前記把持部の前記凹部とが当接することを特徴とする請求項１４又は１５に記載の撮像装置。
【発明の詳細な説明】
【技術分野】
【０００１】
本発明は、例えばデジタルカメラやデジタルビデオカメラ等の撮像装置に関する。
【背景技術】
【０００２】
近年、デジタルビデオカメラ等の撮像装置では、内蔵のマイクロホンよりも高性能なマイクを外付けできるように、外付けマイクを接続するコネクタを搭載する機種も増えてきている。しかし、接続された外付けマイクのケーブルが撮影時に邪魔になってしまうという問題がある。
【０００３】
そこで、特許文献１では、撮像装置のハンドルの前端から前方に突出して設けた支持部の一方の側面に外付けマイクのコネクタを設ける技術が提案されている。この提案では、操作性を損なうことなく外付けマイクのコネクタを搭載することが可能である。
【先行技術文献】
【特許文献】
【０００４】
【特許文献１】特開２００１−１８９８８３号公報
【発明の概要】
【発明が解決しようとする課題】
【０００５】
ところで、近年ではハンドルの先端部に、左右両側に展開可能な表示ユニットを備える撮像装置もある。このような撮像装置に上記特許文献１に記載の技術を適用すると、ハンドルの前端部の厚みが非常に厚くなってしまい、製品の全高が増して装置の大型化を招くという問題がある。
【０００６】
そこで本発明では、ハンドル先端部に水平方向の左右両側に展開可能な表示ユニットを備える撮像装置において、外付けマイク等の外部機器のコネクタを装置の大型化を招くことなく最適な位置に配置することができる技術を提供することを目的とする。
【課題を解決するための手段】
【０００７】
上記目的を達成するために、本発明は、撮像光学系を含む装置本体と、前記装置本体から上方に延びる前脚部および後脚部と、前記前脚部と前記後脚部の間を前記撮像光学系の光軸に略平行に接続する把持部と、を有するハンドルと、前記ハンドルの前方に前記ハンドルと一体に形成される前方部と、前記前方部に対して第１回転軸部を介して略水平方向に回動可能に支持される表示ユニットと、を備える撮像装置であって、前記前脚部の側面には、第１の外部機器が接続されるコネクタが設けられ、前記コネクタは、前記表示ユニットよりも下側で、かつ下側に向かうにつれて所定の角度だけ内側に傾斜した前記側面に配置されていることを特徴とする。
【発明の効果】
【０００８】
本発明によれば、ハンドル先端部に水平方向の左右両側に展開可能な表示ユニットを備える撮像装置において、外付けマイク等の外部機器のコネクタを装置の大型化を招くことなく最適な位置に配置することができる。
【図面の簡単な説明】
【０００９】
【図１】本発明の撮像装置の実施形態の一例であるデジタルビデオカメラを右前側から見た斜視図である。
【図２】図１に示すデジタルビデオカメラを左前側から見た斜視図である。
【図３】ハンドルの分解斜視図である。
【図４】ハンドル基板を組み込んだ状態のハンドルのハンドル把持部の位置での断面図である。
【図５】上側ユニットの分解斜視図である。
【図６】前側ユニットを右前方から見た斜視図である。
【図７】マイク入力コネクタの固定を説明する分解斜視図である。
【図８】表示ユニットの構成及び固定を説明する斜視図である。
【図９】ヒンジカバーの斜視図である。
【図１０】ハンドル前方部の第１回動軸上での断面図である。
【図１１】表示ユニットの収納状態を示す上面図である。
【図１２】表示ユニットの右側への開き状態を示す上面図である。
【図１３】表示ユニットの左側への開き状態を示す上面図である。
【図１４】表示ユニットを左側へ開いた後に第２回動軸を中心に回転させた状態を示す斜視図である。
【図１５】マイク入力コネクタの配置を示す右側面図である。
【図１６】マイク入力コネクタの配置を示す前面図である。
【図１７】マイク入力コネクタと表示ユニットとの前後方向の位置関係を示す図である。
【図１８】表示ユニットの先端部の展開操作部とマイク入力コネクタの位置関係を示す図である。
【図１９】電子ビューファインダの分解斜視図である。
【図２０】（ａ）は電子ビューファインダを下側から見た図、（ｂ）は（ａ）のＡＢ−ＡＢ線断面図である。
【図２１】ハンドルの電子ビューファインダの取付け部の分解斜視図である。
【図２２】電子ビューファインダの取付け部の斜視図である。
【図２３】（ａ）は外付けアクセサリの一例としての画像表示装置を外部機器の取り付け部の三脚ネジ穴に装着した状態のハンドルの側面図、（ｂ）は（ａ）のＤ−Ｄ線断面図である。
【図２４】（ａ）は電子ビューファインダの収納状態、（ｂ）は電子ビューファインダの使用状態Ａ、（ｃ）は電子ビューファインダの使用状態Ｂを示す図である。
【図２５】（ａ）は電子ビューファインダが跳ね上げ位置にある使用状態Ｂでの斜視図、（ｂ）は（ａ）の反対側から見た斜視図である。
【図２６】図２４（ａ）のＨ−Ｈ線断面図である。
【図２７】（ａ）は電子ビューファインダの断面図、（ｂ）は凸部を設けない下側カバーにより構成した電子ビューファインダの断面図である。
【発明を実施するための形態】
【００１０】
以下、図面を参照して、本発明の実施形態の一例を説明する。
【００１１】
図１は、本発明の撮像装置の実施形態の一例であるデジタルビデオカメラを右前側から見た斜視図である。図２は、図１に示すデジタルビデオカメラを左前側から見た斜視図である。なお、本実施形態では、図１に示すように、デジタルビデオカメラの被写体側を前側とし、デジタルビデオカメラを後側から見て左側及び右側とする。
【００１２】
図１及び図２に示すように、本実施形態のデジタルビデオカメラ１００（以下、カメラ１００という。）は、カメラ本体１０１、撮像光学系１０２、グリップ部１０３、ハンドル１０４、及び操作リング１０５を備える。
【００１３】
装置本体の一例をしてのカメラ本体１０１は、カメラ１００全体の動きを制御するメイン基板、電源部、記録部、及び各種操作部などを有する。撮像光学系１０２は、カメラ本体１０１の前側に対して一体に構成され、複数枚のレンズ群や絞り等の複数の光学要素、及びこれらの光学要素を駆動するアクチュエータを有する。そして、撮像光学系１０２を通過した被写体光束は、撮像素子に結像して光電変換される。
【００１４】
また、撮像光学系１０２には、撮影画像の画角を変化させるズームレンズや被写体にピントを合わせるフォーカレンズが含まれ、これらのレンズは、アクチュエータを駆動することにより、光軸方向に移動する。また、アクチュエータを駆動することにより、絞りによる受光光量を調節することができる。
【００１５】
グリップ部１０３は、撮影時にカメラ１００を撮影者の目線の高さに片手で把持するための部位である。また、グリップ部１０３には、ズームや絞り等の撮像光学系１０２のアクチュエータを操作する部位や記録の開始停止を指示するトリガーキー等の各種操作系が設けられており、撮影時に使用する操作を片手でスムーズに行えるようになっている。なお、カメラ１００を片手で把持して使用する際には利き手を用いた方が安定性が良く使い勝手に優れる。一般的には、右手が利き手の人の方が多いため、本実施形態では、グリップ部１０３は、カメラ本体１０１の右側側面に設けられている。
【００１６】
ハンドル１０４は、カメラ本体１０１の上面に対して一体に設けられる輪状の部位であり、例えば、撮影者の腹の位置、若しくは体を屈めて床に近い位置など、撮影者の目線よりも低いローアングルでの撮影時やカメラ１００を持ち運ぶ際に把持する部位である。ハンドル１０４は、大きく分けてハンドル前脚部１０４１、ハンドル後脚部１０４２、ハンドル把持部１０４３、及びハンドル前方部１０４４の４つのエリアから構成されている。
【００１７】
ハンドル前脚部１０４１は、カメラ本体１０１上面の中央よりもやや前方から上方向に延びる柱状の部位である。ハンドル後脚部１０４２は、カメラ本体１０１上面の後ろ側端部から上方向に延びる柱状の部位である。ハンドル把持部１０４３は、カメラ本体１０１の上面に対して所定の空間を空けた位置にて、ハンドル前脚部１０４１とハンドル後脚部１０４２の間を撮像光学系１０２の光軸に対して略平行に接続する部位である。
【００１８】
ハンドル把持部１０４３とカメラ本体１０１の上面の間には空間があるため、ハンドル把持部１０４３を握ることが可能となっている。また、ハンドル把持部１０４３の下側面には波状の凹凸が設けられており、この凹凸はハンドル把持部１０４３を把持した際に指を掛けることが容易にでき、非常に持ちやすい形状となっている。ハンドル前方部１０４４は、ハンドル前脚部１０４１から撮像光学系１０２の光軸と略平行に前側に突出した部位であり、後述する操作リング１０５から上方に所定の空間をあけた位置に設けられている。
【００１９】
操作リング１０５は、撮像光学系１０２の外周部に配置されて光軸を中心として回動可能に構成され、光軸方向に３本の並設されている。この３本の操作リング１０５は、それぞれ撮像光学系１０２のズーム、フォーカス、絞りの調整に対応しており、回転させることにより撮影者が任意に調整可能である。
【００２０】
次に、図３を参照して、ハンドル１０４の詳細構成について説明する。図３は、ハンドル１０４の分解斜視図である。図３に示すように、ハンドル１０４は、ハンドルフレーム１０６、ハンドル基板１０７、前側ユニット１０９、表示ユニット１１０、上側ユニット１０８、右側外装部１１１、左側外装部１１２、電子ビューファインダ２００、外部機器の取り付け部２０１を有する。
【００２１】
ハンドルフレーム１０６は、ガラス繊維やカーボン繊維にて強化された輪状の樹脂部品であり、その外周側は開放した断面コ字状に形成されている。また、ハンドルフレーム１０６の側面には補強リブ１０６１（図４参照）が設けられて剛性が高められており、ハンドル１０４の骨組みとしての機能を十分に果たせるものとなっている。
【００２２】
ハンドル基板１０７は、ハンドル１０４の内部の各基板を中継する基板であり、ハンドルフレーム１０６のハンドル把持部１０４３の内側に固定されている。そして、ハンドル基板１０７は、カメラ本体１０１のメイン基板（不図示）とワイヤ（不図示）やＦＰＣ（不図示）にて電気的に接続されている。
【００２３】
図４は、ハンドル基板１０７を組み込んだ状態のハンドル１０４のハンドル把持部１０４３位置での断面図である。図４に示すように、ハンドル基板１０７は、ハンドルフレーム１０６の上面側のコ字状部の内側に取り付けられている。上側ユニット１０８は、ハンドル前方部１０４４からハンドル把持部１０４３の後側までの上面部、すなわちハンドル１０４の上側の略全面を構成するユニットであり、その詳細については後述する。
【００２４】
前側ユニット１０９は、ハンドル前脚部１０４１からハンドル前方部１０４４にまたがるエリアを構成するユニットであり、その詳細については後述する。表示ユニット１１０は、撮像済みの画像や撮影中の画像の表示や、カメラ１００の各種設定を確認するための表示装置であり、その詳細については後述する。
【００２５】
右側外装部１１１は、ハンドル１０４の左側側面の外観を形成する樹脂部品であり、ハンドルフレーム１０６に対して固定されている。左側外装部１１２は、ハンドル１０４の右側側面の外観を形成する樹脂部品であり、ハンドルフレーム１０６に対して固定されている。
【００２６】
電子ビューファインダ（以下、ＥＶＦという。）２００は、撮影済みの画像や撮影中の画像の表示を確認するための表示装置であり、その詳細に関しては後述する。外部機器の取り付け部２０１は、外付けアクセサリなどを取付け可能な金属部品であり、その詳細に関しては後述する。
【００２７】
次に、図５を参照して、上側ユニット１０８の詳細について説明する。図５は、上側ユニット１０８の分解斜視図である。図５に示すように、上側ユニット１０８は、上側カバー１１３、上側基板１１４、フレーム板金１１５、裏蓋１１６、及びマイクカバー１１７を備えるユニットである。
【００２８】
上側ユニット１０８は、上側基板１１４及びフレーム板金１１５を上側カバー１１３と裏蓋１１６で挟み込んだ構成をしており、ハンドルフレーム１０６に対して強固に固定されている。そして、上側ユニット１０８の上面側外観には入力操作部１１８が設けられている。入力操作部１１８は、録画開始／終了を指示する録画ボタンや撮影時におけるズーミング操作を指示するズームボタンから構成されている。
【００２９】
また、入力操作部１１８は、ハンドル把持部１０４３を把持した際に親指でスムーズに操作できる位置に設けられており、カメラ１００を把持しながらでも片手で容易に操作できるため、ローアングル撮影時などには非常に使いやすい構成になっている。上側カバー１１３は、上側ユニット１０８を構成する主たる部品であり、裏側には入力操作部１１８のキートップ１１９が固定されている。
【００３０】
上側基板１１４は、入力操作部１１８を操作した際にキートップ１１９によって押圧される電気部品、及び音声処理系の回路が実装された基板である。また、上側基板１１４は、ワイヤ（不図示）によってハンドル基板１０７に電気的に接続され、音声処理系の回路から出力された情報や入力操作部１１８からの各種入力信号などをハンドル基板１０７に伝達する。
【００３１】
フレーム板金１１５は、上側ユニット１０８の内部に設けられた板金部品であり、単品でも高強度を有している。そのため、上側ユニット１０８の柱として機能し、操作部１１８に対する押圧荷重などを受け止め、上側ユニット１０８が変形することを防いでいる。裏蓋１１６は、上側ユニット１０８の下側の外観面を形成する部材であり、上側基板１１４やフレーム板金１１５などの上側ユニット１０８の内蔵物を覆い隠している。
【００３２】
マイクカバー１１７は、内側に配置されるマイクロホン（不図示）の外観カバーであり、マイクロホンの直前を覆う部位はメッシュ素材で構成されている。そのため、外部からの音が良好にマイクロホンに到達することができる。また、マイクカバー１１７の内部では、マイクロホンは上側基板１１４に対して電気的に接続されており、カメラ１００の周囲の音声データを記録することが可能となっている。
【００３３】
上側カバー１１３、フレーム板金１１５及び裏蓋１１６の前側部には、それぞれ円形の穴部１１３１、穴部１１５１及び穴部１１６１が同心に設けられている。また、これら３つの穴部１１３１，１１５１，１１６１のうち、穴部１１３１の内径が最も小さく設定されている。
【００３４】
次に、図６を参照して、前側ユニット１０９の詳細を説明する。図６は、前側ユニット１０９を右前方から見た斜視図である。図６に示すように、前側ユニット１０９は、前側カバー１２０、マイク入力コネクタ１２１、マイク入力コネクタ１２１の固定ネジ１２２、マイク入力ワイヤ１２３、及び前側トップカバー１２４を備え、ハンドルフレーム１０６に対して強固に固定されている。
【００３５】
前側カバー１２０は、マグネシウム製のダイキャスト部品であり、金属で形成されているために非常に強固な作りとなっている。そして、前側カバー１２０は、ハンドル前脚部１０４１の左右側及び前側、並びにハンドル前方部１０４４の下側の外観面を形成しており、それらは継ぎ目無く一体になめらかに形成されている。
【００３６】
本実施形態では、ハンドル１０４のハンドル前脚部１０４１において、内側にガラス繊維やカーボン繊維で強化された樹脂で形成されたハンドルフレーム１０６が配置され、その外側を金属製の前側カバー１２０が覆う２重の構造を採用している。また、ハンドル前脚部１０４１からハンドル前方部１０４４にかけては金属製の前側カバー１２０が一体に形成されているため外力に対して非常に強い構造となっている。
【００３７】
マイク入力コネクタ１２１は、ＸＬＲ型のコネクタ端子である。外部機器として外付けマイクをマイク入力コネクタ１２１に接続した際に、音声信号をカメラ本体１０１のメイン基板（不図示）に伝送し所定の信号処理を施すことにより、音声データを記録することができる。
【００３８】
なお、一般的に普及している外付けマイクでは、音声ノイズを低減するために、ＧＮＤ信号、元の信号（ＨＯＴ）、および元の信号と逆位相の信号（ＣＯＬＤ）の３つの電気信号線を持つ構成になっている。そして、そのコネクタはＸＬＲ型のコネクタ端子を使用することが一般的になっているため、外付けマイクからの入力端子はＸＬＲ型のコネクタ端子にすることが望ましく、これにより、非常に多くの種類の外付けマイクを接続することが可能になっている。
【００３９】
次に、図７を参照して、マイク入力コネクタ１２１の固定について説明する。図７は、マイク入力コネクタ１２１の固定を説明する分解斜視図である。図７に示すように、マイク入力コネクタ１２１は、前側カバー１２０に設けられた開口部１２５に対して内側から挿入し、外部マイクとの接続部を外観側に露出させる。その後、マイク入力コネクタ１２１に設けられた雌ネジ１２１１に対して、外観側から固定ネジ１２２を打ち込むことにより前側カバー１２０を挟み込む形でマイク入力コネクタ１２１が強固に保持される。
【００４０】
マイク入力コネクタ１２１は、金属製の前側カバー１２０に対して強固に固定されているため、例えば接続された外付けマイク側のコネクタ部に強い力が加えられたとしても、固定部分が破損することは無く、非常に信頼性の高いものとなっている。
【００４１】
マイク入力ワイヤ１２３は、一端がマイク入力コネクタ１２１に接続され、他端がハンドル基板１０７に接続されており、外付けマイクからマイク入力コネクタ１２１に入力された音声信号をハンドル基板１０７に伝達する。前側トップカバー１２４は、前側ユニット１０９の上側の外観面を形成する部材であり、マイク入力コネクタ１２１やマイク入力ワイヤ１２３等の前側ユニット１０９の内蔵部品を覆い隠している。
【００４２】
次に、図８を参照して、表示ユニット１１０の詳細について説明する。図８は、表示ユニット１１０の構成及び固定を説明する斜視図である。図８に示すように、表示ユニット１１０は、液晶などの平面モニタである表示面１２６、及びそれを制御する基板（不図示）が一体になったものに対してハンドルヒンジ１２７が連結されたユニットである。表示ユニット１１０にハンドルヒンジ１２７が連結された状態では、表示面１２６は、上側を向いた状態が正姿勢として連結されている。ハンドルヒンジ１２７は、その土台であるヒンジベース１２８がヒンジ固定ネジ１２９にて前側ユニット１０９の前側カバー１２０の先端側に対して固定されている。
【００４３】
また、前述したように、前側カバー１２０も非常に強固であるため、ハンドルヒンジ１２７の取付け強度は十分確保される。ハンドルヒンジ１２７は厚肉の板金部材を組み合わせて構成されており、非常に強度の高いものになっている。これにより、表示面１２６は剛性高く保持されている。
【００４４】
また、ヒンジベース１２８に対して、上下方向を中心軸とする中空の第１回転軸部１３０が撮像光学系１０２の光軸と略直交する方向に軸支されている。ハンドルヒンジ１２７は、ヒンジベース１２８に対して第１回転軸部１３０の中心軸である第１回動軸１３１を中心として、左右どちらに対しても回動可能に支持されている。
【００４５】
また、ハンドルヒンジ１２７は、第１回転軸部１３０とは別に第１回動軸１３１の軸方向に略直交する第２回動軸１３２を有し、第２回動軸１３２を中心として回動可能に支持されている。この第２回動軸１３２は、第２回転軸部１３３の中心軸であり、第２回転軸部１３３は、第１回転軸部１３０と同様の中空部材である。第１回転軸部１３０、及び第２回転軸部１３３は共に中空部材で形成されているため、その内部を表示部ワイヤ（不図示）が通ることが可能になっている。
【００４６】
これにより、２つの回転軸部１３０，１３３を通過することで、表示面１２６の近傍に設けられて表示面１２６の制御を司る基板（不図示）から前述した表示部ワイヤ（不図示）を前側ユニット１０９まで通すことが可能になる。そして、前側ユニット１０９のヒンジベース１２８の下側では、第１回転軸部１３０の直下に当たる部位で前側カバー１２０と前側トップカバー１２４の間に隙間１３４が設けられている。
【００４７】
隙間１３４は、ハンドル前脚部１０４１までハンドル前方部１０４４の内部を連通しており、その空間に表示部ワイヤ（不図示）を通すことでカメラ本体１０１のメイン基板（不図示）まで表示部ワイヤ（不図示）を接続することが可能になっている。なお、隙間１３４は、表示部ワイヤ（不図示）が通れるだけの空間であり、非常に小さなものになっている。そのため、ハンドル前方部１０４４の表示ユニット１１０の下側の前側カバー１２０と前側トップカバー１２４で形成されているエリアは非常に薄くなっている。表示ユニット１１０の先端側の表示面１２６の両側には、外装に設けられた凸部による指掛けである展開操作部１４１が左右対称に設けられている。
【００４８】
以上説明したように、表示ユニット１１０は、ハンドルヒンジ１２７の働きにより収納状態（閉じ状態）から開き状態との間で開閉方向に操作可能である。展開操作部１４１に対して横方向から力を加えることで、表示ユニット１１０が第１回動軸１３１を中心として略水平方向に回動して展開する。なお、本実施形態においては、表示ユニット１１０は、左右どちら側にも展開可能に構成されている。
【００４９】
第２回転軸部１３３は、表示ユニット１１０が左右どちら側に回動する場合においても、表示面１２６が後側、上側、下側および前側を向くことができるように構成されている。また、第１回転軸部１３０及び第２回転軸部１３３にはフリクション機構が内蔵されているため、撮影者は任意の位置でハンドルヒンジ１２７を停止することが可能である。これにより、表示ユニット１１０は収納状態から左右に展開された後に表示面１２６の角度を任意に変更可能になっている。なお、表示面１２６を任意の角度で停止するフリーストップ機構では無く、予め定められた角度（例えば４５°ごとの角度など）でのみ停止する角度調節機構を内蔵してもよい。
【００５０】
ハンドルヒンジ１２７は、外観側から見える部位はヒンジカバー１３５により覆われている。ヒンジカバー１３５は、固定ネジ１３６によりハンドルヒンジ１２７に固定されており、ハンドルヒンジ１２７と一体になって第１回動軸１３１の回動動作に連動し回動する。
【００５１】
次に、図９を参照して、ヒンジカバー１３５の詳細について説明する。図９は、ヒンジカバー１３５の斜視図である。図９に示すように、ヒンジカバー１３５には、その上面から突出する円形の凸部１３７が設けられている。また、凸部１３７の周囲には、円形の摺動部１３８が設けられている。この摺動部１３８は、一方の面がＰＥＴなどの摺動抵抗の低い樹脂素材で構成され、他方の面は粘着性を有する素材で構成されている。そして、粘着性を有する面をヒンジカバー１３５に貼り付け、ＰＥＴなどの摺動抵抗の低い面側を上側に露出させて配置される。
【００５２】
凸部１３７及び摺動部１３８は、前述したように共に円形をしており、その中心軸は表示ユニット１１０の第１回動軸１３１と略同一軸上に配置される。すなわち、表示ユニット１１０において、ハンドルヒンジ１２７の外観部はヒンジカバー１３５によって覆われているため、第１回動軸１３１にてハンドルヒンジ１２７を回転させた場合には、凸部１３７を中心に回動しているように見える。
【００５３】
次に、図１０を参照して、ハンドル前方部１０４４の構成について説明する。図１０は、ハンドル前方部１０４４の第１回動軸１３１上での断面図である。前述したように、ハンドル１０４のハンドル前方部１０４４では、下側から順に前側ユニット１０９、表示ユニット１１０及び上側ユニット１０８が積み重なったような状態で配置されている。そして、表示ユニット１１０が第１回動軸１３１を中心として略平方向に回動可能に軸支されている。
【００５４】
このとき、図１０に示すように、ヒンジカバー１３５の凸部１３７は、上側ユニット１０８の穴部１１３１、穴部１１５１及び穴部１１６１に挿入されている。そして、凸部１３７の先端には、フランジ部材１３９が強固に連結されている。また、フランジ部材１３９の外形は、上側ユニット１０８の穴部１１３１、穴部１１５１、穴部１１６１より大径になっている。すなわち、上側ユニット１０８の上側カバー１１３、フレーム板金１１５及び裏蓋１１６をヒンジカバー１３５の摺動部１３８とフランジ部材１３９で挟み込むようになっている。
【００５５】
また、３つの穴部１１３１，１１５１，穴部１１６１のうち、穴部１１３１が最も内径の小さい穴であるため、径方向で凸部１３７と最も近接する穴は穴部１１３１となっている。そして、裏蓋１１６の下面の摺動部１３８に対向している部位には、周囲の面よりも下方に突出する輪形状の摺動リブ１４０が設けられている。この摺動リブ１４０は、穴部１１６１と同じく、第１回動軸１３１と同心円上に配置されている。
【００５６】
また、上側ユニット１０８と表示ユニット１１０の間には、上下方向に所定のクリアランスが設けられており、そのクリアランスは摺動部１３８と摺動リブ１４０の間が最も距離が短くなるように設定されている。
【００５７】
次に、図１１乃至１４を参照して、ハンドル１０４における表示ユニット１１０の開閉動作を説明する。図１１は、表示ユニット１１０の収納状態を示す上面図である。図１２は、表示ユニット１１０の右側への開き状態を示す上面図である。図１３は、表示ユニット１１０の左側への開き状態を示す上面図である。
【００５８】
前述したように、表示ユニット１１０は表示面１２６を上側に向けた状態で前側ユニット１０９に固定されている。そのため、表示ユニット１１０の収納状態においては、表示面１２６は上側ユニット１０８の下面と対向配置される。このとき、上側ユニット１０８は、表示面１２６全域を覆い、表示面１２６を保護する。
【００５９】
また、図１１に示す収納状態から図１２又は図１３に示す開き状態に表示ユニット１１０を展開する際には、表示ユニット１１０の先端両側に設けられている展開操作部１４１に対して横方向から力を加える。具体的には、表示ユニット１１０を右側に展開したい場合には、図１１の矢印Ａ方向に力を加え、左側に展開したい場合には、図１１の矢印Ｂ方向に力を加える。
【００６０】
これにより、表示ユニット１１０は、第１回動軸１３１を中心に回動し、目的の方向に飛び出す。その後、表示ユニット１１０先端を手で把持し、表示面１２６を上側に露出させた状態で約９０°引っ張り出して表示ユニット１１０の先端が略真横を向く位置まで回動させる。
【００６１】
なお、本実施形態では、上側ユニット１０８によって表示面１２６全てを覆いながらも左右方向の外形端は表示ユニット１１０の方が大きく、上側ユニット１０８の外形から若干露出する構成となっている。これにより、表示ユニット１１０を収納状態から展開する際に展開操作部１４１を容易に操作することが可能になる。表示ユニット１１０を図１２又は図１３に示す位置まで展開した後には、第２回動軸１３２を中心に表示ユニット１１０を回転させることが可能である。
【００６２】
図１４は、表示ユニット１１０を左側へ開いた後に第２回動軸１３２を中心に回転させた状態を示す斜視図である。これにより、例えばハイアングル撮影時には表示面１２６を下側に向け、ローアングル撮影時には表示面１２６を上側に向け、三脚に据え置き自分撮影を行う時には表示面１２６を正面側に向けるなどが可能となる。これにより、被写体位置など撮影時の状況に応じて表示面１２６が撮影者を向くように表示面１２６の向きを調整することができる。このため、どのような撮影姿勢であっても、撮影者は表示面１２６を良好に視認することができる。
【００６３】
また、表示ユニット１１０は、第１回動軸１３１及び第２回動軸１３２のいずれか一方又はその両方の軸を中心として、どのように回動したとしても撮像光学系１０２の撮影画角に映りこむことが無いような位置及び形状に構成されている。これにより、撮影者は、表示ユニット１１０の映りこみを気にすることなく、最も表示面１２６を見やすい位置に展開することができ。なお、表示ユニット１１０を収納する際には、前述した展開の手順の逆の操作を行う。
【００６４】
以上説明したように、表示ユニット１１０は、隣接する上側ユニット１０８との間にクリアランスが設けられていて直接は接触していない。そのため、表示ユニット１１０を第１回動軸１３１を中心に回動させた場合において、余計な接触抵抗（摩擦）が発生せず、スムーズに動作可能である。
【００６５】
ここで、表示ユニット１１０を展開して使用している際に、表示ユニット１１０に対して外力が加えられた場合について考える。
【００６６】
表示ユニット１１０が取り付けられている前側カバー１２０は、金属で形成さているため非常に強固であり、多少の荷重であれば十分耐えうることが可能である。また、仮に、前側カバー１２０が弾性変形を起こす外力が表示ユニット１１０に加えられたとしても、下側から上側に向かって外力が加えられた際には、表示ユニット１１０の上側面の摺動部１３８と上側ユニット１０８の下側面の摺動リブ１４０が突き当たる。これにより、上側ユニット１０８が上から押さえられる。
【００６７】
逆に、上側から下側に向かって外力が表示ユニット１１０に加えられた際には、ヒンジカバー１３５の凸部１３７に連結されたフランジ部材１３９の下側が上側カバー１１３に引っ掛かり、上側ユニット１０８が上から引っ張ることなる。
【００６８】
さらに、表示ユニット１１０に対して横方向から外力が加えられた際には、ヒンジカバー１３５の凸部１３７が穴部１１３１の周面に突き当たり、上側ユニット１０８が横方向から支える。このとき、凸部１３７及び穴部１１３１は、共に第１回動軸１３１と同一軸上の中心軸を持つ円形状である。このため、表示ユニット１１０の第１回動軸１３１に対する位相や外力が加えられた方向などには寄らず、表示ユニット１１０に対してどの方向から外力を加えられたとしても同じように支えることができる。
【００６９】
以上より、本実施形態のハンドル前方部１０４４は、表示ユニット１１０に対して前側カバー１２０が弾性変形するほどの外力がどの方向から加えられたとしても、その力を表示ユニット１１０の上側及び下側の両方から支えることが可能である。上側ユニット１０８は、高剛性なフレーム板金１１５により強度を担保されたユニットであるため、表示ユニット１１０の強度向上に大きく貢献し、製品の信頼性が向上する。
【００７０】
次に、図１５乃至図１８を参照して、マイク入力コネクタ１２１の配置について説明する。図１５は、マイク入力コネクタ１２１の配置を示す右側側面図である。図１６は、マイク入力コネクタ１２１の配置を示す前面図である。なお、図１６では、外部マイクを接続した状態を示している。図１７は、マイク入力コネクタ１２１と表示ユニット１１０の前後方向の位置関係を示す図である。
【００７１】
マイク入力コネクタ１２１は、図１５に示すように、ハンドル前脚部１０４１の右側面に設けられ、設けられた位置は、右側面から見た際にはハンドル前脚部１０４１の投影上に収まる位置である。カメラ１００をハンドル１０４を用いて把持する際には、ハンドル把持部１０４３とカメラ本体１０１との間の把持スペース１４２に人差し指から小指にかけての４本の指を回しこみ、ハンドル把持部１０４３を握りこむように把持する。
【００７２】
また、操作リング１０５を操作する際には、操作リング１０５とハンドル前方部１０４４との間のリング操作スペース１４３に指を入れ、操作リング１０５の外周を握りこむように撮像光学系１０２の光軸を中心として回動操作を行う。マイク入力コネクタ１２１は、ハンドル前脚部１０４１の右側面に設けられているため、ハンドル前脚部１０４１の前後には突出しない形状となっている。そのため、把持スペース１４２及びリング操作スペース１４３を広く確保することができるので非常に操作性に優れる。
【００７３】
また、図１６に示すように、マイク入力コネクタ１２１は、表示ユニット１１０より下側に設けられている。マイク入力コネクタ１２１が固定されている前側カバー１２０の面は、下側に向かうにつれ内側に傾く方向に傾斜する傾斜面１２０１となっているため、マイク入力コネクタ１２１は、所定の角度αだけ下側に傾いた状態で前側カバー１２０に固定されている。
【００７４】
そのため、マイク入力コネクタ１２１に係合する外部マイク側コネクタ１４４のケーブルは自然と斜め下方向に向くようになる。また、マイク入力コネクタ１２１は、表示ユニット１１０より下側にあるため、表示ユニット１１０を第１回動軸１３１を中心軸に右側に展開させたとしても外部マイク側コネクタ１４４のケーブルと引っかかることがない。
【００７５】
また、図１７に示すように、第２回動軸１３２における表示ユニット１１０の回動範囲１４５に対して所定の距離だけ後側に離れた位置にマイク入力コネクタ１２１は設けられている。そのため、第２回動軸１３２を中心に表示ユニット１１０を回動させた際にも外部マイク側コネクタ１４４のケーブルと引っかかることがない。
【００７６】
以上より、表示ユニット１１０を第１回動軸１３１と第２回動軸１３２のどちらの軸回りに回動させたとしても、表示ユニット１１０と外部マイク側コネクタ１４４のケーブルは干渉することがない位置関係になっている。このため、表示ユニット１１０をストレス無くスムーズに回動することができる。また、外部マイク側コネクタ１４４のケーブルは斜め下方向に延びることになるため、表示ユニット１１０を右側に展開した後、表示面１２６を後側に向けた際にも、表示面１２６を広く良好に視認することができる。
【００７７】
ここで、図１８は、表示ユニット１１０の先端部の展開操作部１４１とマイク入力コネクタ１２１の位置関係を示す図である。図１８に示すように、収納状態において表示ユニット１１０先端部は、マイク入力コネクタ１２１よりＸだけカメラ１００の後側になるよう各部が配置され、展開操作部１４１の少なくとも一部が大きく露出する。これにより、表示ユニット１１０を左側に展開する際に展開操作部１４１を容易に操作することができる。
【００７８】
次に、図１９及び図２０を参照して、ＥＶＦ２００の構造について説明する。図１９は、ＥＶＦ２００の分解斜視図である。図２０（ａ）はＥＶＦ２００を下側から見た図、図２０（ｂ）は図２０（ａ）のＡＢ−ＡＢ線断面図である。
【００７９】
図１９に示すように、ＥＶＦ基板２７４を保持するＥＶＦインナーケース２０３は、固定ネジ２２３ａ，２２３ｂによりＥＶＦ下側カバー２２０に固定される。ＥＶＦ２００を回動させるためのＥＶＦヒンジ２１０は、ヒンジ固定ネジ２２４ａ，２２４ｂによりＥＶＦ下側カバー２２０に固定される。
【００８０】
また、ＥＶＦ上側カバー２３０とＥＶＦ下側カバー２２０は、ＥＶＦネジ２５３ａ，２５３ｂ及びネジ２５４により固定された後、アイカップ２６０がＥＶＦ上側カバー２３０とＥＶＦ下側カバー２２０を覆うように取り付けられる。さらに、レンズカバー２７０がカメラ１００の後側である接眼面２２２からレンズカバー保持部材２８０によりＥＶＦ下側カバー２２０に取り付けられる。ＥＶＦワイヤ２９９は、ＥＶＦ基板２７４とカメラ１００のメイン基板（不図示）とを電気的に接続する。
【００８１】
ＥＶＦインナーケース２０３の内部には、図２０（ｂ）に示すように、接眼面２２２側からレンズカバー２７０、レンズ部２７１、反射防止部品２７２、画像表示素子２７３が順に配設されている。画像表示素子２７３は、電源供給や画像を制御するＥＶＦ基板２７４と電気的に接続されている。
【００８２】
カメラ１００のメイン基板（不図示）から送られた画像信号は、メイン基板と電気的に接続されたＥＶＦワイヤ２９９を通ってＥＶＦ基板２７４に送られ、さらにＥＶＦ基板２７４から画像表示素子２７３に送信されて光学画像として表示される。画像表示素子２７３より表示された光学画像はレンズ部２７１によって集光され、レンズカバー２７０を透過し、肉眼により光学画像を視認できる。
【００８３】
図２１は、ハンドル１０４のＥＶＦ２００の取付け部の分解斜視図である。図２２は、ＥＶＦ２００取付け部の斜視図である。なお、図２２では、説明の便宜上、ＥＶＦ２００取り付け後に固定される上側カバー１１３、右側外装部１１１及び左側外装部１１２の図示は省略している。
【００８４】
図２１に示すように、ＥＶＦ２００は、ステンレス鋼等の高強度の金属材料で形成されるＥＶＦヒンジ２１０によって、ハンドル１０４に対して回動可能に連結されている。また、ＥＶＦ２００は、ハンドルフレーム１０６に対して、順番に外部機器の取り付け部２０１とＥＶＦヒンジ２１０を取り付け、最後に上側カバー１１３を取り付けた状態でＥＶＦヒンジネジ２２１ａ，２２１ｂにより締結される。
【００８５】
ＥＶＦヒンジネジ２２１ａは、上側カバー１１３の貫通穴２１２ａ、ＥＶＦヒンジ２１０の固定部２１１ａに設けられたヒンジ貫通穴２１３ａ、及び取り付け部２０１の三脚貫通穴２１４ａを挿通した後にハンドルフレーム１０６のネジ下穴２１６ａに螺合される。このとき、外部機器の取り付け部２０１は、外付けアクセサリを取り付けるための三脚ネジ穴２０２を上側外観に露出させて固定される。なお、ＥＶＦヒンジネジ２２１ｂについてもＥＶＦヒンジネジ２２１ａと同様である。
【００８６】
また、図２２に示すように、ＥＶＦヒンジ２１０は、背面側からヒンジネジ２１８ａ，２１８ｂにより固定される。ＥＶＦヒンジ２１０の固定部２１１ａ，２１１ｂを成すヒンジ支持部材２１５は、ＥＶＦヒンジ２１０の回転軸を保持する部材である為、高い強度を必要とする。
【００８７】
また、外部機器の取り付け部２０１をハンドル１０４の後側（ＥＶＦ２００側）に配置することにより、ＥＶＦヒンジ２１０の固定部２１１ａ，２１１ｂで外部機器の取り付け部２０１を押さえ込んで固定することができるため、部品点数を増やす必要がない。
【００８８】
図２３（ａ）は外付けアクセサリの一例としての画像表示装置２５０を外部機器の取り付け部２０１の三脚ネジ穴２０２に装着した状態のハンドル１０４の側面図、図２３（ｂ）は図２３（ａ）のＤ−Ｄ線断面図である。
【００８９】
図２３では、金属成形品である外部機器の取り付け部２０１が、ガラス繊維やカーボン繊維にて強化された樹脂成形品であるハンドルフレーム１０６とステンレス鋼等の金属成形品であるＥＶＦヒンジ２１０の固定部２１１ａ，２２１ｂで挟み込まれている。そして、取り付け部２０１は、この状態で、上側カバー１１３で覆われ、ＥＶＦヒンジネジ２２１ａ，２２１ｂにより固定されている。
【００９０】
これにより、部品を追加することなく、外部機器の取り付け部２０１に取り付けた画像表示装置２５０に対し衝撃や負荷が加わっても、外部機器の取り付け部２０１が浮いたりずれたりすることが無く、画像表示装置２５０を保持する強度を確保することができる。
【００９１】
また、ＥＶＦ２００は、ＥＶＦヒンジ２１０を回動させることにより、図２４（ａ）に示す収納状態、図２４（ｂ）に示す使用状態Ａ、さらに図２４（ｃ）に示す使用状態Ｂの３つの状態に位置させることができる。ＥＶＦ２００は、図２４（ａ）に示す収納状態において、ハンドル１０４の背面部２０４とＥＶＦ２００の前面部２０５が鉛直方向に対して斜めに当接する構成となっている。
【００９２】
図２５（ａ）はＥＶＦ２００が跳ね上げ位置にある使用状態Ｂでの斜視図、図２５（ｂ）は図２５（ａ）の反対側から見た斜視図である。図２５に示すように、ＥＶＦ２００の前面部２０５にはＥＶＦ凸部２４０が設けられており、ハンドル１０４の背面部２０４には、収納状態においてＥＶＦ凸部２４０と対向する位置にＥＶＦ凸部２４０が収納可能なハンドル凹部２４１が設けられている。
【００９３】
図２６は、図２４（ａ）のＨ−Ｈ線断面図である。図２６に示すように、ＥＶＦ凸部２４０の側面２４４ａ及び側面２４４ｂの対向する位置には、ハンドル凹部２４１の内壁２４５ａ及び内壁２４５ｂが設けられている。これにより、ＥＶＦ２００にＥＶＦヒンジ２１０のＥＶＦ回動軸２１７の軸方向（図中＋ｘ方向）から負荷が加わった際に、側面２４４ａが内壁２４５ａに当接して負荷を受けることができ、ＥＶＦヒンジ２１０に負荷が加わり破損するのを防ぐことができる。
【００９４】
図２７（ａ）はＥＶＦ２００の断面図、図２７（ｂ）はＥＶＦ下側カバー２２０に代えてＥＶＦ凸部２４０を設けないＥＶＦ下側カバー３２０により構成したＥＶＦの断面図である。
【００９５】
図２７（ａ）では、ＥＶＦ基板２７４の一部がＥＶＦ下側カバー２２０に設けられたＥＶＦ凸部２４０の内側に収納されており、ＥＶＦヒンジ２１０のＥＶＦ回動軸２１７からＥＶＦ２００の端までの長さがＬとなる。一方、図２７（ｂ）では、ＥＶＦ基板２７４をＥＶＦ凸部２４０の内部に収納することができない。即ち、ＥＶＦ基板２７４等を保持するＥＶＦインナーケース２０３を接眼面２２２方向に移動して収納する必要があるため、ＥＶＦの全長が大きくなる。
【００９６】
よって、図２７（ａ）に示すように、ＥＶＦ２００の前面部２０５にＥＶＦ凸部２４０を設けることにより、ＥＶＦ基板２７４の一部を収納することができ、ＥＶＦヒンジ２１０のＥＶＦ回動軸２１７からＥＶＦ２００の端までの長さをΔＬ短くすることができる。
【００９７】
また、図２４に示すように、本実施形態では、ＥＶＦ２００の前面部２０５を鉛直方向に対して斜めに設けたので、前面部２０５からＥＶＦ凸部２４０が突出する形状を小さくすることができる。
【００９８】
また、図２７（ａ）に示すように、ＥＶＦ凸部２４０をＥＶＦ回動軸２１７から離れた位置に設けることができる為、ＥＶＦ２００に衝撃が加わった際に、負荷を受ける位置がＥＶＦ回動軸２１７から遠く、より大きなモーメントを受けることができる。これにより、ＥＶＦ２００を大型化することなく、衝撃に対する強度を確保することが可能である。
【００９９】
以上説明したように、本実施形態では、ハンドル１０４先端部に水平方向に左右両側に展開可能な表示ユニット１１０を備えるカメラ１００において、外付けマイクのコネクタ１２１をカメラ１００の大型化を招くことなく最適な位置に配置することができる。
【０１００】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【０１０１】
１００  カメラ
１０１  カメラ本体
１０２  撮像光学系
１０４  ハンドル
１０４１  ハンドル前脚部
１０４２  ハンドル後脚部
１０４３  ハンドル把持部
１０４４  ハンドル前方部
１１０  表示ユニット
１２１  マイク入力コネクタ
１３０  第１回転軸部
【図１】
2019165305.tif 000003
【図２】
2019165305.tif 000004
【図３】
2019165305.tif 000005
【図４】
2019165305.tif 000006
【図５】
2019165305.tif 000007
【図６】
2019165305.tif 000008
【図７】
2019165305.tif 000009
【図８】
2019165305.tif 000010
【図９】
2019165305.tif 000011
【図１０】
2019165305.tif 000012
【図１１】
2019165305.tif 000013
【図１２】
2019165305.tif 000014
【図１３】
2019165305.tif 000015
【図１４】
2019165305.tif 000016
【図１５】
2019165305.tif 000017
【図１６】
2019165305.tif 000018
【図１７】
2019165305.tif 000019
【図１８】
2019165305.tif 000020
【図１９】
2019165305.tif 000021
【図２０】
2019165305.tif 000022
【図２１】
2019165305.tif 000023
【図２２】
2019165305.tif 000024
【図２３】
2019165305.tif 000025
【図２４】
2019165305.tif 000026
【図２５】
2019165305.tif 000027
【図２６】
2019165305.tif 000028
【図２７】
2019165305.tif 000029